(57)【要約】【課題】通信ユニットに、複数の変調符号化方式（ＭＣＳ）を通信に利用するように通知する方法及び装置が提供される。【解決手段】第１のリソースブロック群の第１ＭＣＳを決定して第１リモートユニットまたは基地局に伝達し、第２のリソースブロックの第２ＭＣＳを決定して前記リモートユニットまたは基地局に伝達する。第１及び第２ＭＣＳを通知し、更に第１のリソースブロック群及び第２のリソースブロックを通知するメッセージを送信する。最後に第１時刻に、第１ＰＤＵを前記リモートユニットまたは基地局に第１ＭＣＳ及び第１のリソースブロック群を使用して送信し、第１時刻に第２ＰＤＵを前記リモートユニットまたは基地局に第２ＭＣＳ及び第２のリソースブロックを使用して送信する。【選択図】図４
2011254513.tif 000002
【特許請求の範囲】
【請求項１】
方法であって、
第１のリソースブロック群の第１品質インデックスを決定するステップと、
少なくとも第２のリソースブロックの相対品質インデックスを決定するステップであって、前記相対品質インデックスが、前記第１のリソースブロック群の品質に対する前記少なくとも第２のリソースブロックの品質に基づくものである、前記相対品質インデックスを決定するステップと、
前記第１品質インデックスと前記相対品質インデックスとを通知するメッセージを送信するステップであって、前記メッセージは、受信機に、前記第１のリソースブロック群の第１変調符号化方式と、前記少なくとも第２のリソースブロックの第２変調符号化方式とを決定させる、前記送信するステップと
を備える方法。
【請求項２】
前記第１品質インデックスを表すのに用いられるビットの数は、前記相対品質インデックスを表すのに用いられるビットの数と異なっている、請求項１に記載の方法。
【請求項３】
前記第１のリソースブロック群からの各リソースブロックは、第１の複数のサブキャリアを含み、前記第２のリソースブロックは、第２の複数のサブキャリアを含む、請求項１に記載の方法。
【請求項４】
前記第１品質インデックスは、ＳＮＲ、実効ＳＮＲ、ＳＩＮＲ、実効ＳＩＮＲ、相互情報量、ＭＣＳ、及びデータレートのうちの少なくとも１つに基づいている、請求項１に記載の方法。
【請求項５】
装置であって、
論理回路であって、
第１のリソースブロック群の第１品質インデックスを決定するステップと、
少なくとも第２のリソースブロックの相対品質インデックスを決定するステップであって、前記相対品質インデックスが、前記第１のリソースブロック群の品質に対する前記少なくとも第２のリソースブロックの品質に基づくものである、前記相対品質インデックスを決定するステップと
を実行する前記論理回路と、
前記第１品質インデックス及び前記相対品質インデックスを通知するメッセージを送信する送信機であって、前記メッセージは、受信機に、前記第１のリソースブロック群のための第１変調符号化方式と、前記少なくとも第２のリソースブロックのための第２変調符号化方式とを決定させる、前記送信機と
を備える装置。
【請求項６】
前記第１のリソースブロック群からの各リソースブロックは、第１の複数のサブキャリアを含み、前記第２のリソースブロックは、第２の複数のサブキャリアを含む、請求項５に記載の装置。
【請求項７】
前記第１品質インデックスは、ＳＮＲ、実効ＳＮＲ、ＳＩＮＲ、実効ＳＩＮＲ、相互情報量、ＭＣＳ、及びデータレートのうちの少なくとも１つに基づいている、請求項５に記載の装置。
【請求項８】
通信ユニットに、通信で利用される複数の変調符号化方式（ＭＣＳ）を通知する方法であって、
第１リモートユニットまたは基地局に送信される第１のリソースブロック群の第１ＭＣＳを決定するステップと、
前記リモートユニットまたは基地局に送信される第２のリソースブロックの、前記第１ＭＣＳとは異なる第２ＭＣＳを決定するステップと、
前記第１及び前記第２ＭＣＳを通知し、更に前記第１のリソースブロック群及び前記第２のリソースブロックを通知するメッセージを送信するステップと、
前記第１ＭＣＳ及び前記第１のリソースブロック群を使用して、第１時刻に、第１ＰＤＵを前記リモートユニットまたは基地局に送信するステップと、
第２ＭＣＳ及び第２のリソースブロックを使用して、前記第１時刻に、第２ＰＤＵを前記リモートユニットまたは基地局に送信するステップと、
前記第１リソースブロック群上で送信された前記第１ＰＤＵのための第１ＨＡＲＱチャネルインジケータを送信するステップと、
前記第２リソースブロック上で送信された前記第２ＰＤＵのための第２ＨＡＲＱチャネルインジケータを送信するステップと、
前記メッセージ内でマルチアンテナフィールドを送信するステップであって、前記マルチアンテナフィールドは、送信がマルチストリーム伝送ではないことを示す、前記マルチアンテナフィールドを送信するステップと
を備える、方法。
【請求項９】
前記第１リソースブロック群及び第２リソースブロックの各リソースブロックは、連続するサブキャリアの集合を含む、請求項８に記載の方法。
【請求項１０】
装置であって、
論理回路であって、
第１リモートユニットまたは基地局に送信される第１のリソースブロック群の第１ＭＣＳを決定するステップと、
前記リモートユニットまたは基地局に送信される第２のリソースブロックの、第１ＭＣＳとは異なる第２ＭＣＳを決定するステップと
を実行する前記論理回路と、
送信機であって、
前記第１及び前記第２ＭＣＳを通知し、更に前記第１のリソースブロック群及び前記第２のリソースブロックを通知するメッセージを送信するステップと、
前記第１ＭＣＳ及び前記第１のリソースブロック群を使用して、第１時刻に、第１ＰＤＵを前記リモートユニットまたは基地局に送信するステップと、
前記第２ＭＣＳ及び前記第２のリソースブロックを使用して、前記第１時刻に、第２ＰＤＵを前記リモートユニットまたは基地局に送信するステップと、
前記第１リソースブロック群上で送信された前記第１ＰＤＵのための第１ＨＡＲＱチャネルインジケータを送信するステップと、
前記第２リソースブロック上で送信された前記第２ＰＤＵのための第２ＨＡＲＱチャネルインジケータを送信するステップと
を実行する前記送信機と
を備え、前記メッセージは第１ビット及び第２ビットを含み、前記第１ビットは、前記第１リソースブロック群が割り当てられたリソースブロック集合を示し、前記第２ビットは、前記第２リソースブロックが割り当てられた第２リソースブロック集合を示す、装置。
【発明の詳細な説明】
【技術分野】
【０００１】
本発明は概してリソース割り当てに関し、特にリソース、及び関連する変調符号化方式をユーザに割り当てる方法及び装置に関する。
【背景技術】
【０００２】
多くの最新の直交周波数分割多重（ＯＦＤＭ）システムは、周波数選択リソース割り当てをサポートする機能を含む形で提案されている。周波数選択リソース割り当てが行なわれている間、チャネル帯域が幾つかのサブバンドに分割され、これらのサブバンドはタイルまたはリソースブロックと呼ばれる。各リソースブロックは幾つかの隣接ＯＦＤＭサブキャリアを含み、かつ複数のＯＦＤＭシンボル期間を含む。例えば、３ｇｐｐのロング・ターム・エボリューション（ＬＴＥ）標準化において考案されてきたリソースブロックサイズは、１４個の各ＯＦＤＭシンボル期間毎に１２個の隣接サブキャリアである。リソースブロックを使用することにより、特定ユーザへのデータ割り当てを、最良のチャネル品質を有するリソースブロックで行なうことができる。
【０００３】
しかしながら、ユーザに対する／ユーザからの高いデータレートをサポートする必要がある場合、複数のリソースブロック（周波数リソースブロック）をユーザに割り当てる必要がある。これにより、複数のリソースブロック割り当てを処理する方法が難しくなる。一つの利用可能なアプローチでは、変調符号化方式（ＭＣＳ）を個別に複数のリソースブロックの各々に関して選択する。しかしながら、このアプローチは、利用可能な変調符号化方式の集合が小さい場合に非効率になる。その理由は、最良のリソースブロックの品質は、システムにおいて利用することができる最大レートのＭＣＳをサポートするために実際に必要になる品質よりもずっと高くする必要があるからである。別の利用可能なアプローチでは、単一のＭＣＳを割り当てリソースブロックの全てに対して利用する。この場合、コードワードは周波数ダーバーシチを実現する割り当てリソースブロックの全てを含む。このアプローチの問題は、このアプローチによって、最初のアプローチよりもデータレートまたはスループットが低くなることである。
【先行技術文献】
【特許文献】
【０００４】
【特許文献１】米国特許第７，１２６，９９６号明細書
【特許文献２】米国特許出願公開第２００５／０１０５５８９号明細書
【特許文献３】米国特許出願公開第２００５／００６８８８４号明細書
【特許文献４】米国特許出願公開第２００７／００２６８１０号明細書
【非特許文献】
【０００５】
【非特許文献１】ＭＯＴＯＲＯＬＡ，ＩＮＣ．，“ＣＱＩ  Ｆｅｅｄｂａｃｋ  Ｓｃｈｅｍｅ  ｆｏｒ  ＥＵＴＲＡ，”３ＧＰＰ  ＴＡＧ  ＲＡＮ１＃４３，Ｓｏｕｌｅ，Ｋｏｒｅａ，Ｎｏｖｅｍｂｅｒ  ７−１１，２００５，９ｐａｇｅｓ．
【発明の概要】
【発明が解決しようとする課題】
【０００６】
従って、リソース、及び関連する変調符号化方式をユーザに割り当てる方法及び装置を改善する必要がある。
【課題を解決するための手段】
【０００７】
上記の必要性に応えるために、通信ユニットに複数の変調符号化方式（ＭＣＳ）を通知して通信に利用させる方法及び装置を提供する。第１のリソースブロック群の第１ＭＣＳを決定して、第１リモートユニットまたは基地局に伝達し、第２のリソースブロックの第２ＭＣＳを決定して第２リモートユニットまたは基地局に伝達する。第１及び第２ＭＣＳを通知し、更に第１のリソースブロック群及び第２のリソースブロックを通知するメッセージを送信する。最後に、第１時刻に、第１ＰＤＵをリモートユニットまたは基地局に第１ＭＣＳ及び第１のリソースブロック群を使用して送信し、第１時刻に、第２ＰＤＵをリモートユニットまたは基地局に第２ＭＣＳ及び第２のリソースブロックを使用して送信する。
【０００８】
上記方法によって、どのリソースをユーザに割り当て、そしてどの変調符号化方式（ＭＣＳ）をこれらのリソースに使用すべきかについて決定する方法を改善することができる（例えば、リンクアダプテーション機能を向上させる）。上記方法では、利用可能なＭＣＳの集合が小さく、かつチャネル品質が所定のリソースに関して、利用可能なＭＣＳの集合の中の最大レートのＭＣＳをサポートするために必要な品質よりも高くなる可能性があることを考慮に入れる。ここに提示する方法では、リソース割り当て、及びＭＣＳ選択を行なって、余分な信号品質を利用し、複数のリソース（例えば、複数の周波数リソースブロック）がユーザに割り当てられるときの総合データレートが高くなるようにする。
【０００９】
全周波数の中からユーザに割り当てられる異なるリソースの集合群により、当該ユーザの異なるパケットデータユニット（ＰＤＵ）が送信される。ここに提示する方法は更に、ユーザに割り当てる必要のあるリソース群及びＭＣＳを特定するためのシグナリングオーバヘッドを減らすシグナリング方法を提供する。
【００１０】
本発明は、通信ユニットに複数の変調符号化方式（ＭＣＳ）を通知して通信に利用させる方法を含む。本方法は、第１のリソースブロックの第１ＭＣＳを決定して第１リモートユニットまたは基地局に伝達するステップと、第２のリソースブロックの第１ＭＣＳとは異なる第２ＭＣＳを決定してリモートユニットまたは基地局に伝達するステップと、第１及び第２ＭＣＳを通知し、更に、第１のリソースブロック群及び第２のリソースブロックを通知するメッセージを送信するステップと、を含む。第１時刻に、リモートユニットまたは基地局に第１ＭＣＳ及び第１のリソースブロック群を使用して第１ＰＤＵを送信し、第１時刻に、リモートユニットまたは基地局に第２ＭＣＳ及び第２のリソースブロックを使用して第２ＰＤＵを送信する。
【００１１】
本発明は、第１のリソースブロック群の第１品質インデックスを求めるステップと、少なくとも第２のリソースブロックの相対品質インデックスを求めるステップであって、相対品質インデックスが、第１のリソースブロック群の品質に対する、少なくとも第２のリソースブロックの品質に基づく、相対品質インデックスを求めるステップと、第１品質インデックス及び相対品質インデックスを通知するメッセージを送信するステップであって、第１のリソースブロック群の第１変調符号化方式と、少なくとも第２のリソースブロックの第２変調符号化方式とを、受信機に求めさせるメッセージを受信機に送信するステップと、を含む、更に一つの方法を含む。本方法では、第１品質インデックスを表わすために使用されるビットの個数は、相対品質インデックスを表わすために使用されるビットの個数とは異なってもよい。
【００１２】
本発明は更に、第１のリソースブロック群の第１ＭＣＳを決定して第１リモートユニットまたは基地局に伝達するステップ、及び第２のリソースブロックの第１ＭＣＳとは異なる第２ＭＣＳを決定してリモートユニットまたは基地局に伝達するステップを実行する論理回路を備える、装置を含む。第１及び第２ＭＣＳを通知し、更に、第１のリソースブロック群及び第２のリソースブロックを通知するメッセージを送信し、第１時刻に、第１ＰＤＵをリモートユニットまたは基地局に第１ＭＣＳ及び第１のリソースブロック群を使用して送信し、第１時刻に、第２ＰＤＵをリモートユニットまたは基地局に第２ＭＣＳ及び第２のリソースブロックを使用して送信するために、送信機が設けられる。
【００１３】
本発明は、第１のリソースブロック群の第１品質インデックスを求めるステップ、少なくとも第２のリソースブロックの相対品質インデックスを求めるステップであって、相対品質インデックスが、第１のリソースブロック群の品質に対する、少なくとも第２のリソースブロックの品質に基づく、相対品質インデックスを求めるステップを実行する論理回路を備える装置を更に含む。第１品質インデックス及び相対品質インデックスを通知するメッセージを送信することであって、第１のリソースブロック群の第１変調符号化方式と、少なくとも第２のリソースブロックの第２変調符号化方式とを受信機に求めさせるメッセージとを、受信機に送信する、送信機が設けられる。
【図面の簡単な説明】
【００１４】
【図１】通信システムのブロック図である。
【図２】複数のサブキャリアを図１の通信システムにおいて送信する様子を示す。
【図３】ＯＦＤＭシステムのリソースブロックを示す。
【図４】例としてのフレーム構造を示す。
【図５】基地局またはユーザ機器のいずれかとして利用することができる機器のブロック図である。
【図６】図５の装置が基地局として動作する場合の装置の動作を示すフローチャートである。
【図７】最大で２つのＰＤＵを割り当てる場合の図５の装置の動作を示すフローチャートである。
【図８】最大で２つのＰＤＵを割り当てる場合の図５の装置の動作を示すフローチャートである。
【図９】図５の装置が基地局として利用されている場合の装置の動作を示すフローチャートである。
【図１０】図５の装置がユーザ機器として利用されている場合の装置の動作を示すフローチャートである。
【発明を実施するための形態】
【００１５】
以下の記述では、パケットデータユニット（ＰＤＵ）は、単一の変調符号化方式（ＭＣＳ）（例えば、Ｒ＝１／２のターボ符号化を有するＱＰＳＫ変調方式）を有するデータの特定のブロックと考えられる。ＰＤＵは一つ以上のコードワード、または単一のコードワードの一部分を含み、同じＭＣＳを有する複数のＰＤＵが提示される。
【００１６】
次に、同じ参照番号が同じ構成要素を指す図を参照する。図１は、通信システム１００のブロック図である。通信システム１００は一つ以上のセル１０５（一つのセルのみが示される）を備え、各セルは、複数のリモートユニットまたはモバイルユニット１０１〜１０３と通信するベーストランシーバ基地局（ＢＴＳまたは基地局）１０４を有する（リモートユニット１０１〜１０３は通信ユニット、ユーザ機器（ＵＥ）、移動体、または単にユーザと表記され、他方、基地局１０４は通信ユニットまたは単にノード−Ｂと表記される）。本発明の好適な実施形態では、通信システム１００は直交周波数分割多重（ＯＦＤＭ）またはマルチキャリアアーキテクチャを利用する。送信ダイバーシチを用いることもできる。送信ダイバーシチを使用する場合、基地局１０４は複数のアンテナ（図１には示さず）を用いて複数のデータストリームを複数のＯＦＤＭサブキャリアで一つ以上の受信デバイス１０１〜１０３に送信する。基地局１０４は、マルチキャリアＣＤＭＡ（ＭＣ−ＣＤＭＡ）、マルチキャリアダイレクトシーケンスＣＤＭＡ（ＭＣ−ＤＳ−ＣＤＭＡ）、１次元拡散または２次元拡散を行なう直交周波数及び符号分割多重（ＯＦＣＤＭ）のような拡散方式を使用してもよく、簡単な時間及び／又は周波数分割多重／アクセス技術、またはこれらの種々の技術の組み合わせに基づく技術を利用してもよい。
【００１７】
基地局１０４は、セクタ内の多数のリモートユニットと通信する送信機と受信機とを含む。この技術分野では公知であるが、通信ネットワークの通信範囲の物理エリア全体は複数のセルに分割され、各セルは一つ以上のセクタを含む。基地局１０４は、種々の高性能通信モード（例えば、ビームフォーミング、送信／受信ダイバーシチ、送信／受信空間分割多重アクセス（ＳＤＭＡ）、マルチストリーム送信／受信など）を提供するために、複数の送信アンテナ及び／又は複数の受信アンテナを用いて各セクタと通信してもよい。
【００１８】
当業者が認識しているように、ＯＦＤＭシステムが動作している間、複数のサブキャリア（例えば、３ｇｐｐ  ＬＴＥの一つのモードに関して考慮される３００個のサブキャリア）を利用して広帯域データを送信する。この様子を図２に示す。図２に示すように、広帯域チャネルは多数の狭周波数帯域（サブキャリア）２０１に分割され、この場合、データはパラレルにサブキャリア２０１で伝送される。ＯＦＤＭの他に、通信システム１００は適応変調符号化方式（ＡＭＣ）を利用する。適応変調符号化方式（ＡＭＣ）の場合、特定の受信機の送信データストリームの変調符号化フォーマットが、予測される受信信号品質（受信機での）または送信対象の特定のフレームのリンク品質に基づいて変更される。
【００１９】
変調符号化方式は、モバイル通信システムにおいて発生するチャネルの品質変化を追跡するために、フレームごとに変更される（この場合、一つのフレームは一つ以上のＯＦＤＭシンボル期間として定義される）。従って、高品質のリソースブロックまたはリンクには通常、高次の変調レート、及び／又は品質が下がると低くなる変調次数及び／又は符号化レートを有する高いチャネル符号化レートが割り当てられる。これらの受信機が高品質の信号を受信する場合、１６ＱＡＭ，６４ＱＡＭ，または２５６ＱＡＭのような変調方式を利用し、これらの受信機が低品質の信号を受信する場合、ＢＰＳＫまたはＱＰＳＫのような変調方式を利用する。選択される変調及び符号化は、例えばチャネル品質測定遅延または誤差が発生する、チャネル品質によって遅延または誤差が判明する、現時点及び将来時点の干渉を測定または予測しようとし、将来時点のチャネルを測定または予測しようとするので、現時点の受信信号品質をほぼ満たすだけで良い。
【００２０】
複数の符号化レートを各変調方式に利用してＡＭＣにおける粒度を更に細かくし、これにより、品質と送信信号の特性との一致度を更に高めることができる（例えば、ＱＰＳＫの場合はＲ（符号化率）＝１／４，１／２，及び３／４；１６ＱＡＭの場合はＲ＝１／２及びＲ＝２／３など）。ここで、適応変調符号化方式（ＡＭＣ）は時間次元（例えば、変調符号化をＮｔ個のＯＦＤＭシンボル期間のたびに更新する）、または周波数次元（例えば、変調符号化をＮｓｃ個のサブキャリアごとに更新する）、或いはこれらの方法を組み合わせた形で実行され得ることに注目されたい。特定の変調方式（例えば、１６−ＱＡＭ）を特定の符号化方式（例えば、Ｒ＝１／２のターボ符号化）と組み合わせた方式はＭＣＳと表記される。システムにおいて使用される各ＭＣＳには、データレート値を関連付けられ、このデータレート値は情報ビット／シンボルの単位で正規化することが好ましい。例えば、Ｒ＝１／２のＱＰＳＫのＭＣＳでは、１情報ビット／シンボルを提供することができる（存在する場合、テール・ビットだけでなくオーバーヘッドを必要に応じてレート値に含めることができる）。説明を分かり易くするために、ＭＣＳのレート値をＭＣＳＲと表記することとする。一連のＭＣＳは、例えば表１のように示される。
【００２１】
【表１】
2011254513.tif 000003
図３は、リソースブロック（ＲＢ）の概念を示している。一つのタイプのリソースブロックは、一つ以上のサブキャリアが一つ以上のＯＦＤＭシンボルを占有する構成となっている。例えば、一つのリソースブロックは、１４個の各ＯＦＤＭシンボルに１２個のサブキャリアがタイル状に配置される。一つのＲＢの内部の変調シンボルの全てをデータペイロード送信に利用することができる訳ではない。その理由は、これらの変調シンボルの幾つかのシンボルは、制御チャネルまたは基準（例えば、パイロット）信号のような他の目的に使用する必要があるからである。更に、一つのＲＢのシンボルの全てを一人のユーザに割り当てる必要がある訳ではない。例えば、これらのシンボルの幾つかのシンボルを最初のユーザに割り当て、そして他のシンボルを２番目のユーザに割り当てることができる。
【００２２】
図４は、図３のリソースブロックを使用する例としてのフレーム構造を示している。図４に示すように、帯域全体を幾つかのリソースブロック（４０１及び４０３のような）に分割する。リソースブロック４０１に関して詳細に示しているように、各リソースブロックは図３の構造を有する。シグナリングを簡単にし、かつシグナリングオーバーヘッドを小さくするために、一つのリソースブロックは、ユーザが単一フレームにおいて取得することができる最小単位のリソース割り当てとして定義されることが好ましい。一つの可能な構成として、リソースブロック群の全てを一人のユーザ、及び一つのパケットデータユニット（ＰＤＵ）に割り当てることができる。別の可能な構成として、数人のユーザに異なるリソースブロックを付与することにより、これらのユーザに特定のフレームを割り当てることができる。例えば、一人のユーザにリソースブロック４０１を割り当て、そして別のユーザにリソースブロック４０３を割り当てることができる。更に別の可能な構成として、フレーム全体を一人のユーザに割り当て、かつこれらのリソースブロックを一つ以上のＰＤＵに使用することができる。例えば、リソースブロック４０１をＰＤＵ１を有するユーザ１に割り当て、リソースブロック４０２をＰＤＵ２を有するユーザ２に割り当てることができる。他の可能な構成を用いても良い。
【００２３】
各ＰＤＵに固有のＭＣＳを割り当て、且つ一つ以上のＰＤＵを同じユーザの同じフレームに割り当てることにより、性能の面で非常に大きな利点をもたらすことができる。ＭＣＳで符号化される一つのＰＤＵは、ターボ符号を用いるコードワードのような少なくとも一つのエラー訂正コードワードを含むことが好ましい。これらのコードワードは順方向エラー訂正（ＦＥＣ）コードワードと呼ばれる。或る場合には、ＭＣＳで符号化されるＰＤＵは一つよりも多くのＦＥＣコードワードを、例えばＰＤＵのサイズが、単一のＦＥＣコードワードに含まれる情報ビットの最大数よりも大きい場合に、含むことができる。ＰＤＵに関連するコードワードまたはコードワード群は同じＡＲＱチャネルまたはハイブリッドＡＲＱ（ＨＡＲＱ）チャネルで送信されるか、または別のＡＲＱチャネルまたはＨＡＲＱチャネルで送信される。マルチコード伝送を行なう、または行なわない拡散方式が、一つ以上のＭＣＳの階層に対してＦＥＣの他に、またはＦＥＣの代わりに用いられる。ＦＥＣのように、拡散では、転送されてくるデータへのメモリアクセスを導く。
【００２４】
図５は、基地局またはユーザ機器のいずれとしても利用されてよい機器５００のブロック図である。図示のように、機器５００は、論理回路５０１と、送信回路５０２と、受信回路５０３と、そしてストレージ（データベース）５０４と、を備える。ストレージ５０４は、種々の変調符号化方式または品質レベルのインデックス値を格納するように機能する。例えば、インデックス１は１／８レートのＱＰＳＫに対応し、インデックス２は１／４レートのＱＰＳＫに対応するなどである。別の実施形態では、指数関数的に効果的なＳＮＲマッピング法を使用する場合、ベータ値及び該当する静的なＥｓ／Ｎ０閾値は５０４に格納される。
【００２５】
論理回路５０１は、これに制限されないがフリースケール（Ｆｒｅｅｓｃａｌｅ）社製のＰｏｗｅｒＰＣマイクロプロセッサのようなマイクロプロセッサコントローラを含むことが好ましい。本発明の好適な実施形態では、論理回路５０１は、機器５００を制御する手段として、かつ受信メッセージコンテンツを分析する手段として、更には種々のリソースブロックの変調符号化方式を決定する手段として動作する。送信回路５０２及び受信回路５０３は、公知のＯＦＤＭプロトコルを使用して通信するこの技術分野で公知の普通の回路であり、メッセージを送受信する手段として動作する。
【００２６】
図６は、図５の装置が基地局として動作する場合の装置の動作を示すフローチャートである。詳細には、図６の論理フローは、各ＰＤＵが固有のＭＣＳを使用する構成の一つよりも多くのＰＤＵを単一のユーザに割り当てるプロセスを実行する一例を示している。論理フローはステップ６０１から始まり、ＲＢ集合（例えば、チャネル帯域で送信されるＲＢ群の全て、またはＲＢ群の部分集合）が論理回路５０１によって品質の降順にランク付けされて、当該集合の第１ランクのＲＢが最高の無線性能（例えば、最高リンク品質、最良のＭＣＳ、最大の信号対雑音比（ＳＮＲ）など）を（例えば、信号品質測定値、またはチャネル品質フィードバック情報に基づいて）予期されるＲＢとなり、最低ランクのＲＢの性能が最悪であると予期されるＲＢとなる。チャネル品質情報は、例えば受信機５０３において受信される。ステップ６０３では、論理回路５０１によって、集合の中の第１（最良の）ＲＢからなる集合にＳを初期化することにより、第１ＲＢの割り当てＳが開始される。ステップ６０５では、Ｓの中で維持可能な最良のＭＣＳであるＭＣＳｓｅｌが、論理回路５０１によって決定される。維持可能な最良のＭＣＳに関する例となる基準は、ＭＣＳが割り当てられると、このＭＣＳが利用可能な最大のデータレート（例えば、最大ＭＣＳＲ）を提供して、送信が成功する許容可能な確率が得られるような状態を指す。ステップ６０７では、集合の内の残りの最高ランクのＲＢ（すなわち、ステップ６０３で選択されたＲＢを除く）が、論理回路５０１によって選択される。ステップ６０９では、分析が論理回路５０１によって行われて、ＭＣＳｓｅｌが、Ｓ及び残りの最高ランクのこのＲＢの両方を含む割り当て（すなわち、最高ランクのＲＢ及び２番目のランクのＲＢの両方を含むリソース割り当て）に対して維持可能であるかどうかを判断する。維持可能である場合、ステップ６１９において論理回路５０１は残りのうちの最高ランクのＲＢをＳに追加し、そして論理フローはステップ６１５に進み、このステップにおいて、論理回路５０１は、考察されていないＲＢが集合に残っているかどうかを判断する。判断がステップ６１５において残っている場合、プロセスはステップ６０７に戻り、再度ステップ６０９を行なう。
【００２７】
ステップ６０９での結果が維持可能で無い場合、ＭＣＳｓｅｌが維持可能である全ての割り当てＳが決定されてしまい、ステップ６１１において、当該割り当てＳをＭＣＳｓｅｌと共にユーザに割り当てる（または、プロセスフロー全体が完了するまでストレージ５０４に格納されて、後の時点で使用される）。割り当てプロセスは、ＭＣＳｓｅｌを割り当てられたＲＢ群で、送信機５０２を用いて送信されるＰＤＵを割り当てることを備える。
【００２８】
続いて、論理フローはステップ６１３に進み、このステップにおいて、論理回路５０１は、ステップ６０７において決定された集合の残りの最高ランクのＲＢからなる集合に、割り当てＳを再度初期化する。更にステップ６０７では、新規ＭＣＳｓｅｌ値が、新規に定義されるＳに対して論理回路５０１によって求められる。次に、論理フローはステップ６１５に進み、このステップにおいて、論理回路５０１は、未だ考察されていないＲＢが集合に残っているかどうかを判断する。ステップ６１５での判断が残っているである場合、論理フローはステップ６０７に戻る。ステップ６０７での判断が残っていないである場合、集合のＲＢ群の全てが考察されており、そして現在の割り当てＳ及びＭＣＳｓｅｌが、論理回路５０１によってユーザに、既に決定している割り当ての全てと共に割り当てられる。ここで、これらの割り当てＳの各割り当てには、異なるＭＣＳが含まれることに注目されたい。また、このプロセスを利用する特定の割り当てに含まれるＲＢ群が連続する必要がないことに留意されたい。
【００２９】
図６のプロセスでは、幾つかのＰＤＵを単一のユーザに割り当てることができる。しかしながら、ＰＤＵを２つだけ一人のユーザに割り当てることができるようにすることによって、プロセスを簡単にし、そして場合によってはシグナリングオーバーヘッドを低減しながら、提供する技術の性能上の利点のほとんどをもたらすことができることが予期される。
【００３０】
図７は、最大で２つのＰＤＵを割り当てる場合の図５の装置の動作を示すフローチャートである。論理フローはステップ７０１から始まり、このステップでは、ＲＢの集合が、論理回路５０１によって品質の降順にランク付けされて、第１ランクのＲＢは、最高の無線性能が予期されるＲＢとなり、最低ランクのＲＢは、最悪の性能が予期されるＲＢとなる。次に、ステップ７０３では、論理回路５０１によって第１（最高ランクの）ＲＢからなる集合にＳを初期化することにより、第１ランクのＲＢ割り当てＳが開始される。ステップ７０５では、割り当てＳの中で維持可能な最良のＭＣＳであるＭＣＳｓｅｌが、論理回路５０１によって決定される。ステップ７０７では、残りのうちの最高ランクのＲＢが論理回路５０１によって選択される。ステップ７０９では、ＭＣＳｓｅｌが割り当てＳ及び残りのうちの最高ランクのこのＲＢを含むＲＢ割り当てに対して維持可能であるかどうかを、論理回路５０１が分析する。集合表記では、このＲＢ割り当ては集合Ｓ∪｛ＲＢ｝と表わされる。維持可能である場合、ステップ７１５において残りの最高ランクのＲＢが論理回路５０１によって集合Ｓに追加される。次に、論理フローはステップ７１７に進み、論理回路５０１は、集合の中に処理すべき幾つかのＲＢが集合に残っているかどうかを判断する。残っている場合、論理フローはステップ７０７に戻る。ＲＢがもう残っていない場合、論理フローはステップ７１９に進み、論理回路５０１は、第１ＰＤＵをＳ（可能であれば、利用可能なＲＢ群の全て）に割り当て、ＭＣＳｓｅｌを使用して送信するように送信機５０１に指示する。これとは異なり、ステップ７０９において、ＭＣＳｓｅｌを、Ｓ及び残りの最高ランクのＲＢを含むＲＢ割り当ての中で維持可能でないと判断される場合、論理回路５０１はステップ７１１において、集合Ｓの一部分ではない集合の残りのＲＢ群の全の中で維持可能である最良のＭＣＳであるＭＣＳｒｅｓｔを分析する。ステップ７１３では、論理回路５０１は、第１ＰＤＵを、ＭＣＳｓｅｌを使用して送信されるＳに割り当て、第２ＰＤＵを、ＭＣＳｒｅｓｔを使用して送信される集合の残りのＲＢ群（これらのブロックは割り当て集合Ｓの一部分ではない）の全てに割り当てる。
【００３１】
最大で２つのＰＤＵを同じユーザに同じフレームで割り当てる別のプロセスを図８に示す。図８に示すプロセスによって、図７のプロセスよりも、プロセスの複雑さが増すという不具合を伴なうが、帯域平均のリンク効率またはデータレートを高めることができる。論理フローはステップ８０１から始まり、ＲＢ集合は、論理回路５０１によって品質の降順にランク付されて、第１ランクのＲＢは最高の無線性能が予期されるＲＢとなり、最低ランクのＲＢは、最悪の性能が予期されるＲＢとなる。ステップ８０３では、インデックスが論理回路５０１によって初期化される。ステップ８０５では、２つのＭＣＳ、すなわちｉ個の最高ランクのＲＢに対して維持可能な最良のＭＣＳであるＭＣＳｂｅｓｔ（ｉ）と、（Ｎ−ｉ）個の残りのＲＢに対して維持可能な最良のＭＣＳであるＭＣＳｒｅｓｔ（ｉ）とが論理回路５０１によって決定される。ＭＣＳｂｅｓｔ（ｉ）及びＭＣＳｒｅｓｔ（ｉ）に関連付けられるレート値は、ＭＣＳＲｂｅｓｔ（ｉ）及びＭＣＳＲｒｅｓｔ（ｉ）とそれぞれ表記される。ステップ８０７では、別の値、すなわちＲＢ集合全体に関する等価なＭＣＳＲまたは正味のＭＣＳＲを表わすＭＣＳＲｅｑ（ｉ）が論理回路５０１によって計算され、好適には方程式：
ＭＣＳＲｅｑ（ｉ）＝ｉ＊ＭＣＳｂｅｓｔ（ｉ）＋（Ｎ−ｉ）＊ＭＣＳＲｒｅｓｔ（ｉ）に従って計算される。
【００３２】
ステップ８０９では、論理回路５０１によってｉを１だけ増加させる。ステップ８１１では、論理回路５０１はｉをＮ＋１と比較する。ｉ＜Ｎ＋１の場合、論理フローはステップ８０５に戻る。ｉ＝Ｎ＋１の場合、ステップ８１３においてＭＣＳＲｅｑを最大にするインデックスｊが、論理回路５０１によって求められる。ステップ８１５では、第１ＰＤＵが、論理回路５０１によって最高ランクからｊ番目のランクまでのＲＢに割り当てられ、論理回路５０１は送信機５０２に指示してＭＣＳｂｅｓｔ（ｊ）を使用した送信を行なわせ、そして第２ＰＤＵを残りのＲＢ群に割り当てる（ＭＣＳｒｅｓｔ（ｊ）を使用する）。
【００３３】
更に別の態様では、電力再配分を適宜用いて、システム性能を更に向上させることができる。例えば、２つのＭＣＳが図８に示すアルゴリズムを使用して割り当てられている場合、ＰＤＵ１（ＭＣＳ１を使用する）及びＰＤＵ２（ＭＣＳ２を使用する）の両方に関する余剰電力を収集することができる。すなわち、各ＰＤＵに関して、十分なだけの電力を割り当てて、選択されたＭＣＳを維持する。従って、残りの電力を再配分することができる。すなわち、一つのポリシーでは、電力を再配分して、低いＭＣＳＲを持つＰＤＵであるＰＤＵ２に最初に割り当てられたＲＢを、最良のＭＣＳを使用するＰＤＵ１に加えることができる。次に、最良から最悪に分類されると、ＲＢ群を連続的に選択して、考察対象のＲＢを使用するＭＣＳを大幅に改善する。別の構成として、ＲＢ群は、電力再配分によってリンク効率（等価な、または正味のＭＣＳＲのような、２つのＰＤＵに関して平均した値）が最大化されるように選択することができる。電力再配分は、ユーザがユーザの最高ランクのＲＢ群に対してスケジューリングされる可能性が高く、かつ第２ＰＤＵに割り当てられるリソースブロック群またはリソース区分群が衝突解決に使用される可能性が高い場合に特に有用である。
【００３４】
これまでに説明した方法のいずれの方法も、二重通信方式（例えば、ＴＤＤまたはＦＤＤ））が何であるかに関係なく、アップリンクまたはダウンリンクのいずれかに適用することができる。また、プロセスに、提示する方法の技術範囲から逸脱しない限り種々の変更を加えることができるか、または異なるプロセスを、提示する方法の技術範囲から逸脱しない限り使用することができ、種々の変更をプロセスに加える場合、及び異なるプロセス使用する場合では、複数の周波数ＭＣＳを単一のユーザに割り当て、同時に一つ以上のＲＢに関する余剰の信号品質を利用して、特定のＭＣＳを効果的にサポート／利用することができるＲＢの個数を増やすという同じ効果が得られる。
【００３５】
提示する方法の更に別の態様により、シグナリング／メッセージングが改善される。ユーザへの送信をダウンリンクで行なう場合に使用するＲＢ集合、及びこれらのＲＢに関連するＭＣＳを基地局が決定することを支援するために、ユーザがチャネル品質情報を基地局に送信する事例について説明するために、次の実施形態が提供されるが、提示する方法は他のシナリオにも適用することができる（例えば、ダウンリンク及びアップリンクの役割を逆にした場合、基地局及びユーザの役割を逆にした場合など）。
【００３６】
異なる変調符号化方式を各リソースブロック集合に使用するためには、各リソースブロック集合、及び複数のリソースブロック集合の各集合に利用される変調符号化方式を特定するメッセージングが必要になる。この情報を供給することによりシグナリングオーバーヘッドが大きくなるので、出来る限り効率を高くするために、フィードバック量を減らす必要がある。
【００３７】
この問題を解決するために、ユーザ機器は、例えばリソースブロック集合により構成されるチャネル品質情報（ＣＱＩ）を決定する。チャネル品質情報は、複数の推奨割り当ての各々に関するチャネル品質インジケータ（例えば、ＳＮＲ，ＳＩＮＲ，またはＭＣＳインデックス）と一緒に各割り当てに含めることが推奨される。従って、ユーザ機器は、各リソースブロック集合に関するチャネル品質情報（ＣＱＩ）を単一のメッセージとしてフィードバックすることができ、これによって正しいＭＣＳを複数のリソースブロック集合の各集合に対して選択することができる。例えば、２つのリソースブロック集合が利用されている場合、ユーザ機器は第１品質情報、及び第１リソースブロック集合に関する該当する第１インデックスを求め、そして第２リソースブロック集合に関する第２品質情報を求めることになる。第１及び第２品質情報の品質インデックス値が求まり、そして単一のメッセージがユーザ機器から送信されて第１及び第２品質を通知する。第１及び第２品質は個々に表示することができるか、または一方の品質インデックスの値を他方の品質インデックスの値に関連付けれ（例えば、第１品質インデックス、及び第２品質インデックスと第１品質インデックスとの差分のそれぞれによって）ことにより表示することができる。更に詳細には、関連付けを行なう場合には、第２品質情報は第１品質情報に対する相対情報とすることができ、そして第１品質インデックスと第２品質インデックスとの間の品質インデックス差分としての相対品質インデックスによって知らせることができる。相対品質インデックスによって受信機は第２品質インデックスを、第１品質インデックス及び相対品質インデックスの両方が判明している場合に求めることができる。一つの例では、単一のビットインジケータを使用して品質インデックス差分が、ビット値が「０」の場合に、ＭＣＳ２のインデックスが、（ＭＣＳ１のインデックス−１）となり、かつビット値が「１」の場合に、ＭＣＳ２のインデックスが、（ＭＣＳ１のインデックス−２）となるように通知される。更に、メッセージは、どのリソースブロック群が第１ＭＣＳを使用すべき（または、どのリソースブロック群を第１品質値に関連付ける）か、そしてどのリソースブロック群が第２ＭＣＳを使用すべき（または、どのリソースブロック群を第２品質値に関連付ける）かを表わす表示を含む。ビットマップ表示を使用してこの情報を効率的に伝達することができる。ＣＱＩメッセージの例は、
１．ＭＣＳ１
２．ＭＣＳ２
３．Ｎビットのビットマップメッセージ、この場合、Ｎは利用可能なりソースブロックの個数である。位置ｋのビット値「１」は、ＭＣＳ１がＲＢ番号ｋに関連付けられることを意味し、位置ｋのビット値「０」は、ＭＣＳ２がＲＢ番号ｋに関連付けられることを意味する、
である。
【００３８】
ここで、ＣＱＩメッセージがこのようなタイプの場合に、ユーザ機器が基地局に以下の内容を通知していることに注目されたい。すなわち、基地局が連続的にユーザ機器に送信を行なうと、第１ＰＤＵが、ビット値「１」を有する全てのＲＢに対して維持可能な最良のＭＣＳ１によってサポートされ、第２ＰＤＵが、ビット値「０」を有する全てのＲＢに対して維持可能な最良のＭＣＳ２によってサポートされ、各ＰＤＵが別々に変調され、そして符号化される。また、チャネル品質が時間と共に変動する場合、現在のチャネル状態を利用する新規のＣＱＩメッセージを周期的にユーザ機器によって送信して、品質変動の追跡を可能にする必要があることに留意されたい。
【００３９】
送信に使用される実際のＲＢ群、及びＭＣＳは、ＣＱＩをレポートする際に使用するＲＢ群及びＭＣＳと同じか、またはこれらのＲＢ群及びＭＣＳとは異なるようにすることができる。また、ＣＱＩメッセージを全て単一のフレームで送信する必要はない。例えば、一つのフレームは、ＭＣＳ１またはＭＣＳ２、或いはビットマップの一部分のいずれかを含むことができる。別の例として、一つのフレームがＭＣＳ１及びビットマップの一部分を含むことができ、そして別のフレームがＭＣＳ２及びビットマップの一部分を含むことができる。別の例では、幾つかのフレームに含まれる一つのＣＱＩメッセージは、差分更新を、前のフレーム、または前のフレーム群で送信された情報に対して実行するように構成すされる。
【００４０】
ＭＣＳ１及びＭＣＳ２は、ＭＣＳインデックスによって表わすことができる。フィードバックを更に減らすために、ＭＣＳ２はＭＣＳ１に対して相対的な形で伝達される。別の表現をすると、ＭＣＳ２に対応するインデックスは、ＭＣＳ１に対応するインデックスとＭＣＳ２に対応するインデックスとの差分として伝達される。例えば、メッセージ内の該当するビット（群）によって表わされる差分値は固定することができるか、またはＭＣＳ１の値、または他の要素によって変化させることができる。総じて、オーバーヘッドを低減するために、ＭＣＳ２は、基地局及びリモートユニットの両方が認識する全ての情報によって変わるようにすることができる。この他の情報の或る例が、ＭＣＳ１の値、または帯域平均のＳＮＲ値である。例えば、ユーザ機器は、他のＣＱＩの他に、帯域平均のチャネル品質インジケータ（例えば、ＳＮＲ）をフィードバックすることができる。帯域平均のＣＱＩを利用する一つの例では、帯域平均のＳＮＲが１０ｄＢよりも大きい場合、ＭＣＳ２の値「１」（または「０」）は、第２リソースブロック集合に対して、送信機が、（ＭＣＳ１−１）（「０」の場合は、ＭＣＳ１−２）のＭＣＳインデックスに対応するＭＣＳインデックスを使用する必要があることを意味する。例えば、帯域平均のＳＮＲが１０ｄＢよりも大きい場合、ＭＣＳ２の値「１」（または「０」）は、第２リソースブロック集合に対して、送信機が、（ＭＣＳ１−２）（「０」の場合は、ＭＣＳ１−３）のＭＣＳインデックスに対応するＭＣＳインデックスを使用する必要があることを意味する。また、別の構成として、ＭＣＳインデックス値を伝達するのに代えて、ユーザ機器は、どのような無線リンク品質情報も送信することができ、無線リンク品質情報を使用して、ＳＮＲ値、実効ＳＮＲ値、相互情報量値、またはデータレート値のようなＭＣＳを求めることができる。例えば、帯域平均のＳＮＲ値、及びＭＣＳ２に使用されている単一のビットによって変わるが、値「１」はシンボル当たり１ビットのスペクトル効率の低下に対応させ、値「０」はシンボル当たり０．５ビットのスペクトル効率の低下に対応させることができる。別の構成として、ＭＣＳ２はまた、既知の値（例えば、ＱＰＳＫ  Ｒ＝１／３）となるように常に選択することができる。別の例では、シグナリングを減らすために、ＰＤＵ１及びＰＤＵ２に関して選択されるＭＣＳ及びＲＢは、ＭＣＳ１のインデックスとＭＣＳ２のインデックスとの間に生じ得る差分の集合が有限となるように決定することができる。これによってビットの個数を更に減らして、ＭＣＳ１インデックスとＭＣＳ２インデックスとの差分を符号化することができる。
【００４１】
基地局が、どのリソースブロック及びＭＣＳを実際にユーザ機器（ユーザ機器が情報を基地局から受信するために）に割り当てるべきかを決定した後、割り当て情報をユーザ機器に、ダウンリンク制御チャネルを使用して送信することができる。基地局がリモートユニットに制御チャネルで送信するメッセージのサイズを小さくするために、割り当てメッセージフォーマットに関して実現可能な幾つかの項目を以下に列挙する。
【実施例１】
【００４２】
固定サイズの割り当て、一つのＨＡＲＱチャネル
或る実施形態では、制御メッセージサイズは各ユーザ機器に関して固定される。このような場合においては、以下に示すフィールドを固定サイズの割り当てメッセージに含めることができる。
１．ＨＡＲＱチャネルＩＤ；
２．ユーザＩＤ；
３．ＰＤＵ１に使用されるリソースブロック集合（ＲＢ１）；
４．ＲＢ１の変調符号化方式；
５．ＰＤＵ２に使用されるリソースブロック集合（ＲＢ２）；及び
６．ＲＢ２の変調符号化方式（ＭＣＳ２）。
【００４３】
この例では、同じＨＡＲＱチャネルがＰＤＵ１及びＰＤＵ２の両方に使用される。その結果、２つの送信ＰＤＵの内の一方のＰＤＵだけを復号化することができない場合に、両方のＰＤＵを再送信する必要がある。ユーザＩＤは固有に割り当てられる識別子であるので、どのユーザ機器にこのリソース割り当てメッセージを適用すべきかについて決定することができる。ＭＣＳは、ＣＱＩに関する方法と同様の方法により通知することができる。詳細には、ＭＣＳ２はＭＣＳ１に対する相対的なインデックスを用いて、上述のプロセスと同様のプロセスに従って通知してシグナリングビットを保存することができる。同様に、２つのリソースブロック集合は、ＣＱＩビットマップフィールドと同様のビットマップフィールドを用いて通知することができる。別のパケットデータユニット（ＰＤＵｓ）を次に各リソースブロック集合を使用して同じ期間中に送信し、そして各ＰＤＵを個別に変調し、そして符号化することになることが暗示的に示される。ユーザＩＤはＭＡＣ  ＩＤとすることができる。
【実施例２】
【００４４】
固定サイズの割り当て、２つのＨＡＲＱチャネル
例１では、単一のＨＡＲＱチャネルＩＤを送信する場合、２つの送信ＰＤＵの内の一方のＰＤＵの送信に失敗することにより、２つの送信ＰＤＵの再送信が、一方のＰＤＵが正しく受信された場合でも開始される。この問題を避けるために、基地局は２つのＨＡＲＱチャネルＩＤを割り当てメッセージとして送信する（一方のＨＡＲＱチャネルＩＤがＰＤＵ１に対応し、そして他方のＨＡＲＱチャネルＩＤがＰＤＵ２に対応する）。更に、ＰＤＵ２に対応するＨＡＲＱチャネルＩＤは暗に通知することができる。例えば、ＨＡＲＱ  ＩＤ１をＰＤＵ１に使用する場合、ＨＡＲＱ  ＩＤ２は、ＨＡＲＱチャネルの数を法とするＨＡＲＱ  ＩＤ１＋１に自動的に設定することができる。
【実施例３】
【００４５】
一括割り当て、１つのＨＡＲＱチャネル
一人よりも多くのユーザを一つのフレームにスケジューリングすることができるので、基地局はこのマルチユーザ状態を、割り当てメッセージの全てを一括して符号化して単一の割り当てメッセージとすることにより利用することができる。例えば、基地局は次の項目を送信することができる。
１．ユーザＩＤのリスト
２．以下のフィールド、Ｍ回繰り返される（Ｍは同じフレームにスケジューリングされるユーザ機器の個数）
ａ．ＨＡＲＱチャネルＩＤ
ｂ．ＭＣＳ１
ｃ．ＭＣＳ２
３．以下のフィールドを持つビットマップ領域、Ｎ回繰り返される（Ｎは利用可能なリソースブロックの個数）
ａ．短いユーザ機器ＩＤ
ｂ．１ビット、「０」は、この特定のリソースブロックが第１リソースブロック集合（ＰＤＵ１に対応する）に対応することを意味し、そして「１」は、この特定のリソースブロックが第２リソースブロック集合（ＰＤＵ２に対応する）に対応することを意味する。
【００４６】
短いＵＥ  ＩＤ（ユーザ機器ＩＤ）は特定のユーザＩＤに固有の識別子であり、そしてこのフレームに対してのみ有効である。ＵＥ  ＩＤ（ユーザ機器ＩＤ）は、Ｍ個のユーザＩＤが送信される順番に基づいて生成することができる。例えば、ユーザＩＤがリストに最初に挙げられているユーザに値「０」（１０進法の）の短いＩＤを割り当て、２番目に挙げられているユーザに値「１」の短いＩＤを割り当て、このような操作を同じようにして繰り返す。別の構成として、短いＩＤは、ユーザＩＤのリストが送信されるときに明示的に通知することができ、そして１つよりも多くのフレームに対して有効とすることができる。
【実施例４】
【００４７】
一括割り当て、２つのＨＡＲＱチャネル
この実施形態は前の実施形態と同様であるが、２つのＨＡＲＱチャネルＩＤが通知される。一方のＨＡＲＱチャネルＩＤが第１ＰＤＵに対応し、そしてもう一方のＨＡＲＱチャネルＩＤが第２ＰＤＵに対応する。
【実施例５】
【００４８】
制御割り当てサイズが可変の一括割り当て
例３では、制御割り当てメッセージのサイズは固定される。この状況はユーザの全てが２つのＰＤＵを送信する場合に適するが、この状況によって、何人かのユーザがＰＤＵを一つだけ送信する場合にリソースを無駄にすることになる。この場合における解決法では、ＰＤＵ２に関する情報を必要なときにだけ送信する。リソース割り当てメッセージのフォーマットは以下のようにすることができる。
１．ユーザＩＤのリスト
２．以下のフィールド、Ｍ回繰り返される（Ｍは同じフレームにスケジューリングされるユーザ機器の個数）
ａ．割り当てが１つのＰＤＵ、または２つのＰＤＵに対して行なわれるかどうかを表示する１ビット
ｂ．ＨＡＲＱチャネルＩＤ
ｃ．ＭＣＳ１
ｄ．ＭＣＳ２（２つの割り当てが行われる場合）
３．以下のフィールドを持つビットマップ領域、Ｎ回繰り返される（Ｎは利用可能なリソースブロックの個数）
ａ．短いユーザ機器ＩＤ
ｂ．割り当てが１つしか行なわれない場合、選択の余地はない。割り当てが１つよりも多く行われる場合、１ビットを使用し、この場合「０」は、この特定のリソースブロックが第１リソースブロック集合（ＰＤＵ１に対応する）に対応することを意味し、そして「１」は、この特定のリソースブロックが第２リソースブロック集合（ＰＤＵ２に対応する）に対応することを意味する。
勿論、２つのＨＡＲＱチャネルＩＤを必要に応じて通知することができる。
【００４９】
次に、一つのパケットデータユニット（ＰＤＵ）が各リソースブロック集合を使用して同じ期間中に送信される。各ＰＤＵは個別に変調され、そして符号化されることになる。
システムは、送信ダイバーシチ、開ループＭＩＭＯ，閉ループビームフォーミング、または閉ループＭＩＭＯのようなマルチアンテナ送信をサポートすることができる。マルチアンテナフォーマットは、異ならせることができる複素送信アンテナ重みを含むことができ、この複素送信アンテナ重みは各リソースブロックに適用される。マルチアンテナ送信には、単一のリモートユニットに用いられるリソースブロックで送信される複数の空間ストリームが含まれ、この場合、当該リソースブロックで、異なるアンテナ重みを使用して各空間ストリームを送信する。これらの空間ストリームはそれぞれ、ストリーム固有のＰＤＵを持つように構成することができる、または単一のＰＤＵを全てのストリームに関して持つように構成することができる、或いはこれらの構成の或る組み合わせとすることができる。マルチストリーム伝送を行なう場合、２つ以上のストリームを、空間多重化技術を利用して送信するときに使用する少なくとも一つのリソースブロックを決定する。
【００５０】
複数のアンテナを使用して複数のストリームを送信する場合、各ストリームは２つのＰＤＵを含むように構成され、各パケットデータユニットは一つのＭＣＳ及び一つのＲＢ集合を使用する。マルチアンテナ送信フォーマットは、ＰＤＵに関する割り当て情報（ＭＣＳ１、集合ＲＢ１、ＭＣＳ２、集合ＲＢ２）に付加される形で送信することができる。このような送信では、アンテナ送信重みを、例えばコードブックを利用して通知することができる。複数の空間ストリームを用い、かつ複数のＰＤＵを送信しようとする場合、複数セットのＰＤＵ１及びＰＤＵ２（関連するＭＣＳ１及びＲＢ１を使用する）を送信することができる。例えば、ストリーム１はＰＤＵ１及びＰＤＵ２を含み、ストリーム２はＰＤＵ３及びＰＤＵ４を含む。シグナリングを減らすために、ＲＢ１＝ＲＢ３かつＲＢ２＝ＲＢ４とすることができる。別の構成として、ストリーム２は、当該ストリームに割り当てられるＲＢ群を使用する単一のＭＣＳのみを利用し、これらのＲＢはＲＢ１及びＲＢ２の幾つか、または全てである。
【００５１】
マルチアンテナ技術がサポートされる場合のシグナリングを減らすために、シグナリングは、マルチストリームＭＩＭＯ、または非重複ＲＢ集合を使用する２つ以上のＰＤＵのいずれかをサポートするように構成することができる。このような再構成可能なシグナリングは、マルチストリーム事例が２つの所望のＰＤＵを含み、かつ２つのＰＤＵ（異なるＲＢ及びＭＣＳを使用する）もサポートされる場合に特に効率が高くなる。この事例では、システムはストリーム１をＰＤＵ１／ＭＣＳ１／ＲＢ１及びＰＤＵ２／ＭＣＳ２／ＲＢ２の組み合わせで処理する、またはストリーム１をＰＤＵ１／ＭＣＳ１で、かつストリーム２をＰＤＵ２／ＭＣＳ２で処理することができる。マルチストリーム事例に関して、ＲＢ１及びＲＢ２が少なくとも一つのＲＢで重複し、かつＲＢ１はＲＢ２と等価であるとすることができる。シグナリングの構成は多くの方法により行なうことができ、これらの方法として以下の方法を挙げることができる。
・一つのビットでマルチストリームＭＩＭＯであるかどうかを表示する
・テーブル中の一つのエントリに、マルチビット「マルチアンテナ」フィールドによってインデックスを付ける
・一つのコードブックエントリに或る値を設定して、単一のストリームに属する２つのＰＤＵを表示する
・２つのコードブックエントリに同じ値を設定して、単一のストリームに属する２つのＰＤＵを表示する
・ランク１の伝送マトリクスによる送信を行なう
・リモートユニットが制御チャネルを無作為に復号化して、２つの利用可能なフォーマットの各々を探索する。複数のフォーマットは情報ビットの個数、符号化レート、またはシード値に基づいて生成される巡回符号を用いるＣＲＣ（巡回冗長検査）のいずれかにおいて物理的に異ならせることができる。
【００５２】
全体的な構成以外に、異なるビットフィールドを保持する、またはマッピングし直すことができる。例えば、両方のモードに各ＰＤＵに対応するＭＣＳフィールドが必要となる。マルチストリーム構成において、単一のＲＢ割り当てのみが行なわれる（両方のストリームが同じＲＢ集合を使用する）場合、単一ストリーム／２ＰＤＵ事例、すなわち第２のＲＢ割り当てを提供することができる、またはＲＢ割り当ては、帯域の全て、または一部分を利用する第１ＰＤＵに対するＲＢ割り当て処理の逆の処理と考えることができる。
【００５３】
マルチストリーム伝送でサポートすることができるストリームの個数は一定ではない。例えば、変化が空間環境に生じるので、２つのストリームをサポートすることができなくなる。一つのストリームが終了すると、当該ストリームに対する現在のＨＡＲＱプロセスを、残りの複数のストリームの内の一つのストリームに異なるＲＢ集合を使用してマッピングすることができる。前に説明した複数のアルゴリズムの内の一つのアルゴリズムを使用してＭＣＳを、２つのＲＢ集合に関して決定することができる。一つのストリームが追加される場合、第２ＨＡＲＱチャネルでのシグナリングを使用することができる。
【実施例６】
【００５４】
電力割り当てを行なう固定割り当てメッセージ
システム性能を更に向上させるために、電力割り当てをＲＢごとに行なうことができる。当該事例では、例１のメッセージを再利用することができる。更に、ＲＢに対して電力割り当てを行なうビットマップメッセージを送信することができる。フィードバックを減らすために、電力表示値を差分符号化することができ、この場合、基準電力値は送信機及び受信機の両方によって認識される。
【００５５】
図９は、機器５００が基地局として使用されている場合の機器５００の動作を示すフローチャートである。動作状態では、ＣＱＩメッセージを受信機５０３がユーザ機器から受信する（ステップ９０１）。上に説明したように、ＣＱＩメッセージは、使用されている多くのリソースブロックで受信する全ての信号の品質に関する情報を含む。従って、ステップ９０１では、少なくとも第１品質情報を第１リソースブロック集合に関して受信し、そして第２／相対品質情報を第２リソースブロック集合に関して受信する（上に概要を説明した多くの例の内の一つの例において）。第１及び第２リソースブロック集合は単純に、一つのリソースブロックを含むことができる。更に、上に説明したように、各リソースブロックは連続するサブキャリアの集合を含む。
【００５６】
ステップ９０３では、論理回路５０１は第１リソースブロック集合の第１ＭＣＳと、第２リソースブロック集合の第２ＭＣＳを決定する。当業者であれば理解できることであるが、各リソースブロック集合に関して選択されるＭＣＳは、このリソースブロック集合を使用してユーザ機器によって認識される品質に少なくとも関連付けられる。次に、論理回路はストレージ５０４にアクセスし、第１リソースブロック集合の第１ＭＣＳインデックス、及び第２リソースブロック集合の第２ＭＣＳインデックスを求める（ステップ９０５）。これらのインデックスは第１及び第２ビットとして表わされ、第１ビットは第１のリソースブロック群が割り当てられるリソースブロック集合を表わし、そして第２ビットは第２のリソースブロックが割り当てられる第２リソースブロック集合を表わす。
【００５７】
ステップ９０７では、論理回路５０１は送信機５０２に指示して、第１及び第２ＭＣＳを通知し、更に第１及び第２のリソースブロックを通知するメッセージをユーザ機器に送信させる。第１及び第２ＭＣＳは、第１及び第２ＭＣＳインデックスによって表わされる。別の構成として、第１及び第２ＭＣＳは、第１ＭＣＳインデックス、及び第１ＭＣＳインデックスと第２ＭＣＳインデックスとの差分によってそれぞれ表わされる。別の構成として、ＭＣＳは、上に説明した複数の例のいずれの例によっても通知することができる。最後に、ステップ９０９では、送信機５０２は第１ＰＤＵをユーザ機器に第１時刻に第１ＭＣＳ及び第１リソースブロック集合を使用して送信し、更に第２ＰＤＵをユーザ機器に第１時刻に第２ＭＣＳ及び第２リソースブロック集合を使用して送信する。
【００５８】
ここで、上の論理フローはモバイルユニットまたはリモートユニットに送信を行なっている基地局に対して適用されたものであるが、当業者であれば、上の論理フローは、データを基地局に複数のリソースブロックを使用して送信しているリモートユニットの内部で実行可能であることを理解できることに留意されたい。また、電力割り当てが行なわれる場合、第１のリソースブロックに関する第１電力割り当て、及び第２のリソースブロックに関する第２電力割り当ては、論理回路５０１によって決定され、第１及び第２電力割り当てを通知する第２メッセージを、送信機５０２によって送信されることに留意されたい。また、第１及び第２ＰＤＵを単一のＭＩＭＯストリームに含めて送信する必要があると判断される場合、第１ＭＩＭＯコードブックインデックスを第１メッセージに含めて送信することができる。マルチアンテナフィールドを更に第１メッセージに含めて送信することができ、この場合、マルチアンテナフィールドは、送信がマルチストリーム伝送ではないことを示す。
【００５９】
ＨＡＲＱを利用している場合、送信機５０２は単一のＨＡＲＱチャネルインジケータを送信して、第１ＰＤＵが第１のリソースブロックで送信され、第２ＰＤＵが第２のリソースブロックで送信されることを通知することもできる。別の構成として、第１ＰＤＵが第１のリソースブロックで送信されることを通知する第１ＨＡＲＱチャネルインジケータ、及び第２ＰＤＵが第２のリソースブロックで送信されることを通知する第２ＨＡＲＱチャネルインジケータを送信しても良い。
【００６０】
図１０は、機器５００がユーザ機器として使用されている場合の機器５００の動作を示すフローチャートである。論理フローはステップ１００１から始まり、論理回路はまず、第１リソースブロック集合の第１品質情報と、第２リソースブロック集合の第２品質情報とを求める。各リソースブロック集合は、単一のリソースブロックのみを含んでもよい。ステップ１００３では、論理回路はストレージ５０４にアクセスし、第１品質インデックス及び第２品質インデックスを求める。品質インデックスは、品質値を或る所定のフォーマットで表わす（例えば、一連の一つ以上のビットは品質数値を直接、または間接的に表わし、一つ以上のビットは、所定のテーブルに格納されるポインタ（例えば、テーブル１、すなわちＳＩＮＲテーブルのＭＣＳインデックス）として機能する）。第２品質インデックスは直接表現することができるか、または第１品質インデックスに対する相対的な品質インデックス、または第１品質インデックスとの差分品質インデックスとして表現することができるので、第２品質は第２／相対品質と表記するか、または第２／相対品質として指示することができる。品質情報及び／又はインデックスは、ＳＮＲ，実効ＳＮＲ，ＳＩＮＲ，実効ＳＩＮＲ，相互情報量、ＭＣＳ、またはデータレートの内の少なくとも一つを利用することが好ましいが、他の品質情報を含むことができる。ここで、第１品質インデックスを表わすために使用されるビットの個数を、相対品質インデックスを表わすために使用されるビットの個数とは異ならせることができるので、フィードバックオーバーヘッドは、相対品質を使用する場合には低減することができることに注目されたい。例えば、複数のビットを使用して第１品質インデックスを高精度に表わすことができ、特に第２のリソースブロック（群）の品質が第１ブロック群の品質と相関する、または第１ブロック群の品質に近いと予測される場合に、相対品質インデックスを、少ない個数のビット（１ビットという非常に少ない個数のビット）によって表わしてオーバーヘッドを低減することができる。
【００６１】
次に、論理回路５０１は送信機５０２に指示して、第１品質及び相対品質情報を通知するメッセージを送信する（ステップ１００５）。説明したように、第１品質及び相対品質は、第１品質インデックス及び相対インデックスによってそれぞれ表わされる。メッセージによって受信機に、第１のリソースブロック群及び第２のリソースブロックの変調符号化方式を求めさせる。
【００６２】
最後に、ステップ１００７では、データを第１及び第２リソースブロック集合で受信する。上に説明したように、各リソースブロック集合を使用するデータには、固有の変調符号化方式を各リソースブロック集合の品質に基づいて採用することになる。
【００６３】
提供する技術について、特定の実施形態を参照しながら特定の形で示し、そして説明してきたが、当業者であれば、提供する技術の技術思想及び技術範囲から逸脱しない限り、形態及び詳細に関する種々の変更を本発明に加え得ることが理解できるであろう。例えば、複数入力−複数出力（ＭＩＭＯ）を利用する通信システムでは、２つのＰＤＵを送信する事例に使用されるシグナリングは、少なくとも部分的に再利用される。例えば、第１及び第２コードブックインデックスが同じ場合、この状況は、２つのＰＤＵが単一のストリームで送信されることを意味する。ストリーム１に使用される複数のＭＣＳがＰＤＵ１に使用される。このような変更は以下の請求項の技術範囲に包含される。
【符号の説明】
【００６４】
１０１、１０２、１０３  リモートユニット
１０４  基地局
１０５  セル
２０１  サブキャリア
４０１、４０３  リソースブロック
５０１  論理回路
５０２  送信機
５０３  受信機
【図１】
2011254513.tif 000004
【図２】
2011254513.tif 000005
【図３】
2011254513.tif 000006
【図４】
2011254513.tif 000007
【図５】
2011254513.tif 000008
【図６】
2011254513.tif 000009
【図７】
2011254513.tif 000010
【図８】
2011254513.tif 000011
【図９】
2011254513.tif 000012
【図１０】
2011254513.tif 000013